(57)【要約】【課題】中間調で表現された文字などが視認しやすい表示システム、プログラム及び表示方法を提供すること。【解決手段】本発明に係る表示システムは、入力画像データの図形の外縁ピクセルと外縁ピクセルに接する当該図形外の外隣ピクセルとの色差が大きいほど、又は、外縁ピクセルの彩度が大きいほど、外縁ピクセルと外隣ピクセルとの輝度差をより大きくした表示画像データを生成し、当該画像データを用いて表示することを特徴とする。【選択図】図１
2013218281.tif 000002
【特許請求の範囲】
【請求項１】
画像の表示を行うための表示システムであって、
前記画像のデータから第１画像データを生成する第１画像データ生成処理を行う第１画像データ生成部と、
前記第１画像データを面積階調化した第２画像データを生成する第２画像データ生成部と、
前記第２画像データに基づいて電子ペーパーに画像を表示させる処理を行う表示処理部と、を含み、
外縁ピクセルを、前記画像のデータに含まれる図形の外縁におけるピクセルとし、
外隣ピクセルを、前記図形の外の前記外縁ピクセルに隣り合うピクセルとしたときに、
前記第１画像データは、輝度の値が前記画像のデータに対して所与の値大きくされた前記外縁ピクセルを含み、
前記所与の値は、前記画像のデータにおける前記外縁ピクセルと前記外隣ピクセルとの色差が大きいほど、又は、前記表示画像データにおける前記外縁ピクセルの彩度が大きいほど、より大きい表示システム。
【請求項２】
請求項１に記載の表示システムにおいて、
前記第１画像データ生成部は、前記第１画像データ生成処理を、前記画像のデータにおける前記外縁ピクセルにおいて算出される輝度差が、基準値よりも小さい場合に行う表示システム。
【請求項３】
画像の表示を行うための表示システムであって、
前記画像のデータから第１画像データを生成する第１画像データ生成処理を行う第１画像データ生成部と、
前記第１画像データを面積階調化した第２画像データを生成する第２画像データ生成部と、
前記第２画像データに基づいて電子ペーパーに画像を表示させる処理を行う表示処理部と、を含み、
前記第１画像データ生成処理は、前記画像のデータの画素における輝度差の算出結果が基準値よりも小さい場合に前記画素における輝度値を所与の値大きくする処理であることを特徴とする表示システム。
【請求項４】
請求項３に記載の表示システムであって、
前記輝度差は、前記画素の輝度値と前記画素に隣接する複数の画素の輝度値とから算出されることを特徴とする表示システム。
【請求項５】
画像の表示を行うための表示プログラムであって、
前記画像のデータから第１画像データを生成する第１画像データ生成処理を行う第１画像データ生成部と、
前記第１画像データを面積階調化した第２画像データを生成する第２画像データ生成部と、
前記第２画像データに基づいて電子ペーパーに画像を表示させる処理を行う表示処理部と、
してコンピューターを機能させ、
外縁ピクセルを、前記画像のデータに含まれる図形の外縁におけるピクセルとし、
外隣ピクセルを、前記図形の外の前記外縁ピクセルに隣り合うピクセルとしたときに、
前記第１画像データは、輝度の値が前記画像のデータに対して所与の値大きくされた前記外縁ピクセルを含み、
前記所与の値は、前記画像のデータにおける前記外縁ピクセルと前記外隣ピクセルとの
色差が大きいほど、又は、前記表示画像データにおける前記外縁ピクセルの彩度が大きいほど、より大きい表示プログラム。
【請求項６】
請求項５に記載の表示プログラムにおいて、
前記第１画像データ生成部は、前記第１画像データ生成処理を、前記画像のデータにおける前記外縁ピクセルにおいて算出される輝度差が、基準値よりも小さい場合に行う、表示プログラム。
【請求項７】
画像表示を行うための表示プログラムであって、
前記画像のデータから第１画像データを生成する第１画像データ生成処理を行う第１画像データ生成部と、
前記第１画像データを面積階調化した第２画像データを生成する第２画像データ生成部と、
前記第２画像データに基づいて電子ペーパーに画像を表示させる処理を行う表示処理部と、してコンピューターを機能させ、
前記第１画像データ生成処理は、前記画像のデータの画素における輝度差の算出結果が基準値よりも小さい場合に前記画素における輝度値を所与の値大きくする処理であることを特徴とする表示プログラム。
【請求項８】
請求項７に記載の表示プログラムであって、
前記輝度差は、前記画素の輝度値と前記画素に隣接する複数の画素の輝度値とから算出されることを特徴とする表示プログラム。
【請求項９】
画像の表示を行うための表示方法であって、
前記画像のデータから第１画像データを生成する第１画像データ生成処理を行う第１画像データ生成工程と、
前記第１画像データを面積階調化した第２画像データを生成する第２画像データ生成工程と、
前記第２画像データに基づいて電子ペーパーに画像を表示させる処理を行う表示処理工程と、を含み、
外縁ピクセルを、前記画像のデータに含まれる図形の外縁におけるピクセルとし、
外隣ピクセルを、前記図形の外の前記外縁ピクセルに隣り合うピクセルとしたときに、
前記第１画像データは、輝度の値が前記画像のデータに対して所与の値大きくされた前記外縁ピクセルを含み、
前記所与の値は、前記画像のデータにおける前記外縁ピクセルと前記外隣ピクセルとの色差が大きいほど、又は、前記表示画像データにおける前記外縁ピクセルの彩度が大きいほど、より大きい、表示方法。
【請求項１０】
請求項９に記載の表示方法において、
前記第１画像データ生成工程では、
前記画像のデータにおいて算出される輝度差が、基準値よりも小さい場合に、前記第１画像データ生成処理を行う、表示方法。
【請求項１１】
画像表示を行うための表示方法であって、
前記画像のデータから第１画像データを生成する第１画像データ生成処理を行う第１画像データ生成工程と、
前記第１画像データを面積階調化した第２画像データを生成する第２画像データ生成工程と、
前記第２画像データに基づいて電子ペーパーに画像を表示させる処理を行う表示工程と、を含み、
前記第１画像データ生成工程は、前記画像のデータの画素における輝度差の算出結果が基準値よりも小さい場合に前記画素における輝度値を所与の値大きくする処理であることを特徴とする表示方法。
【請求項１２】
請求項１１に記載の表示プログラムであって、
前記輝度差は、前記画素の輝度値と前記画素に隣接する複数の画素の輝度値とから算出されることを特徴とする表示方法。
【発明の詳細な説明】
【技術分野】
【０００１】
本発明は、表示システム、表示プログラム及び表示方法に関する。
【背景技術】
【０００２】
近年、ＥＰＤ（ElectricPhoresis Display；電気泳動表示装置）など、紙媒体を代表とするハードコピーの長所を取り入れつつ、表示内容を電気的に書き換えることができる電子ペーパーの開発が進められている。ＥＰＤは、現在のパソコン等の表示デバイスとして用いられているＣＲＴ（Cathode Ray Tube）やＬＣＤ（Liquid Crystal Display）と比較して視認性がよく目が疲れにくいことや曲げることができ携帯性に優れていることを特徴とする。
【０００３】
実用化されている電子ペーパーの多くは、白と黒の２色を用いて画像を表示させるものが多い。そのため、カラー画像を電子ペーパーで表示させるためには、白と黒の２値に変換する必要がある。
【０００４】
カラー画像をモノクロプリンターで出力するために、カラー画像を白と黒の２値に変換する様々な技術が公開されている（特許文献１）。
【先行技術文献】
【特許文献】
【０００５】
【特許文献１】特開２００９−５３３１号公報
【発明の概要】
【発明が解決しようとする課題】
【０００６】
カラー画像を白と黒の２値に変換した場合には、特に中間調で表現された文字などが視認しにくい場合があった。
【０００７】
本発明は、以上のような問題点に鑑みてなされたものであり、本発明のいくつかの態様によれば、中間調で表現された文字などが視認しやすい表示システム、プログラム及び表示方法を提供することができる。
【課題を解決するための手段】
【０００８】
本発明に係るひとつの表示システムは、画像の表示を行うための表示システムであって、前記画像のデータから第１画像データを生成する第１画像データ生成処理を行う第１画像データ生成部と、前記第１画像データを面積階調化した第２画像データを生成する第２画像データ生成部と、前記第２画像データに基づいて電子ペーパーに画像を表示させる処理を行う表示処理部と、を含み、外縁ピクセルを、前記画像のデータに含まれる図形の外縁におけるピクセルとし、外隣ピクセルを、前記図形の外の前記外縁ピクセルに隣り合うピクセルとしたときに、前記第１画像データは、輝度の値が前記画像のデータに対して所与の値大きくされた前記外縁ピクセルを含み、前記所与の値は、前記画像のデータにおける前記外縁ピクセルと前記外隣ピクセルとの色差が大きいほど、又は、前記表示画像データにおける前記外縁ピクセルの彩度が大きいほど、より大きいことを特徴とする。
【０００９】
上記のひとつの表示システムにおいて、前記第１画像データ生成部は、前記第１画像データ生成処理を、前記画像のデータにおける前記外縁ピクセルにおいて算出される輝度差が、基準値よりも小さい場合に行うことが好ましい。
【００１０】
本発明に係る他のひとつの表示システムは、画像の表示を行うための表示システムであって、前記画像のデータから第１画像データを生成する第１画像データ生成処理を行う第１画像データ生成部と、前記第１画像データを面積階調化した第２画像データを生成する第２画像データ生成部と、前記第２画像データに基づいて電子ペーパーに画像を表示させる処理を行う表示処理部と、を含み、前記第１画像データ生成処理は、前記画像のデータの画素における輝度差の算出結果が基準値よりも小さい場合に前記画素における輝度値を所与の値大きくする処理であることを特徴とする。
【００１１】
上記他のひとつの表示システムにおいて、前記輝度差は、前記画素の輝度値と前記画素に隣接する複数の画素の輝度値とから算出されることが好ましい。
【００１２】
本発明に係るひとつの表示プログラムは、画像の表示を行うための表示プログラムであって、前記画像のデータから第１画像データを生成する第１画像データ生成処理を行う第１画像データ生成部と、前記第１画像データを面積階調化した第２画像データを生成する第２画像データ生成部と、前記第２画像データに基づいて電子ペーパーに画像を表示させる処理を行う表示処理部と、してコンピューターを機能させ、外縁ピクセルを、前記画像のデータに含まれる図形の外縁におけるピクセルとし、外隣ピクセルを、前記図形の外の前記外縁ピクセルに隣り合うピクセルとしたときに、前記第１画像データは、輝度の値が前記画像のデータに対して所与の値大きくされた前記外縁ピクセルを含み、前記所与の値は、前記画像のデータにおける前記外縁ピクセルと前記外隣ピクセルとの色差が大きいほど、又は、前記表示画像データにおける前記外縁ピクセルの彩度が大きいほど、より大きいことを特徴とする。
【００１３】
上記のひとつの表示プログラムにおいて、前記第１画像データ生成部は、前記第１画像データ生成処理を、前記画像のデータにおける前記外縁ピクセルにおいて算出される輝度差が、基準値よりも小さい場合に行うことが好ましい。
【００１４】
本発明に係る他のひとつの表示プログラムは、画像表示を行うための表示プログラムであって、前記画像のデータから第１画像データを生成する第１画像データ生成処理を行う第１画像データ生成部と、前記第１画像データを面積階調化した第２画像データを生成する第２画像データ生成部と、前記第２画像データに基づいて電子ペーパーに画像を表示させる処理を行う表示処理部と、してコンピューターを機能させ、前記第１画像データ生成処理は、前記画像のデータの画素における輝度差の算出結果が基準値よりも小さい場合に前記画素における輝度値を所与の値大きくする処理であることを特徴とする。
【００１５】
上記他のひとつの表示プログラムにおいて、前記輝度差は、前記画素の輝度値と前記画素に隣接する複数の画素の輝度値とから算出されることが好ましい。
【００１６】
本発明に係るひとつの表示方法は、画像の表示を行うための表示方法であって、前記画像のデータから第１画像データを生成する第１画像データ生成処理を行う第１画像データ生成工程と、前記第１画像データを面積階調化した第２画像データを生成する第２画像データ生成工程と、前記第２画像データに基づいて電子ペーパーに画像を表示させる処理を行う表示処理工程と、を含み、外縁ピクセルを、前記画像のデータに含まれる図形の外縁におけるピクセルとし、外隣ピクセルを、前記図形の外の前記外縁ピクセルに隣り合うピクセルとしたときに、前記第１画像データは、輝度の値が前記画像のデータに対して所与の値大きくされた前記外縁ピクセルを含み、前記所与の値は、前記画像のデータにおける前記外縁ピクセルと前記外隣ピクセルとの色差が大きいほど、又は、前記表示画像データにおける前記外縁ピクセルの彩度が大きいほど、より大きいことを特徴とする。
【００１７】
上記のひとつの表示方法において、前記第１画像データ生成工程では、前記画像のデー
タにおいて算出される輝度差が、基準値よりも小さい場合に、前記第１画像データ生成処理を行うことが好ましい。
【００１８】
本発明に係る他のひとつの表示方法は、画像表示を行うための表示方法であって、前記画像のデータから第１画像データを生成する第１画像データ生成処理を行う第１画像データ生成工程と、前記第１画像データを面積階調化した第２画像データを生成する第２画像データ生成工程と、前記第２画像データに基づいて電子ペーパーに画像を表示させる処理を行う表示工程と、を含み、前記第１画像データ生成工程は、前記画像のデータの画素における輝度差の算出結果が基準値よりも小さい場合に前記画素における輝度値を所与の値大きくする処理であることを特徴とする。
【００１９】
上記他のひとつの表示方法において、前記輝度差は、前記画素の輝度値と前記画素に隣接する複数の画素の輝度値とから算出されることが好ましい。
【００２０】
［適用例１］
適用例にかかる表示システムは、表示画像データの表示を行うための表示システムであって、第１画像データを生成する第１画像データ生成処理を行う第１画像データ生成部と、前記第１画像データを面積階調化した第２画像データを生成する第２画像データ生成部と、前記第２画像データに基づいて電子ペーパーに画像を表示させる処理を行う表示処理部と、を含み、外縁ピクセルを、前記表示画像データに含まれる図形の外縁におけるピクセルとし、外隣ピクセルを、前記図形の外の前記外縁ピクセルに隣り合うピクセルとしたときに、前記第１画像データは、前記外縁ピクセルと前記外隣ピクセルとの輝度の差が、前記表示画像データにおける前記外縁ピクセルと前記外隣ピクセルとの輝度の差よりも所与の値だけ大きくされたデータであり、前記所与の値は、前記表示画像データにおける前記外縁ピクセルと前記外隣ピクセルとの色差が大きいほど、又は、前記表示画像データにおける前記外縁ピクセルの彩度が大きいほど、より大きい、表示システムである。
【００２１】
この適用例によれば、表示画像データに含まれる図形の外縁ピクセルの輝度と、外縁ピクセルと隣り合うピクセルであって図形の外のピクセルである外隣ピクセルの輝度との差を、表示を行うための元のデータである表示画像データよりも所与の値だけ大きくした第１画像データを面積階調化した第２画像データに基づいて電子ペーパーに画像を表示させるので、例えば中間調で表現された図形の輪郭が強調された画像を表示できる。また、本適用例によれば、表示画像データにおける外縁ピクセルと、外隣ピクセルとの色差、又は、表示画像データにおける外縁ピクセルの彩度が大きくなるほど、所与の値を大きくするので、見る者にとってより実感に近い状態に図形の輪郭が強調された画像を表示できる。したがって、例えば中間調で表現された文字などが視認しやすい表示システムを実現できる。
【００２２】
［適用例２］
上記適用例にかかる表示システムにおいて、前記第１画像データ生成部は、前記第１画像データ生成処理を、前記表示画像データにおける前記外縁ピクセルと前記外隣ピクセルとの輝度の差が、基準値よりも小さい場合に行うことが好ましい。
【００２３】
表示画像データにおける外縁ピクセルと、外隣ピクセルとの輝度の差が小さい場合には、当該輝度の差に基づいて図形の輪郭を明瞭に明示させることが困難である。本適用例によれば、このような場合においても、第１画像データ生成処理を行うことによって、見る者にとってより実感に近い状態に図形の輪郭が強調された画像を表示できる表示システムを実現できる。
【００２４】
［適用例３］
本適用例にかかる表示プログラムは、表示画像データの表示を行うための表示プログラムであって、第１画像データを生成する第１画像データ生成処理を行う第１画像データ生成部と、前記第１画像データを面積階調化した第２画像データを生成する第２画像データ生成部と、前記第２画像データに基づいて電子ペーパーに画像を表示させる処理を行う表示処理部と、してコンピューターを機能させ、外縁ピクセルを、前記表示画像データに含まれる図形の外縁におけるピクセルとし、外隣ピクセルを、前記図形の外の前記外縁ピクセルに隣り合うピクセルとしたときに、前記第１画像データは、前記外縁ピクセルと前記外隣ピクセルとの輝度の差が、前記表示画像データにおける前記外縁ピクセルと前記外隣ピクセルとの輝度の差よりも所与の値だけ大きくされたデータであり、前記所与の値は、前記表示画像データにおける前記外縁ピクセルと前記外隣ピクセルとの色差が大きいほど、又は、前記表示画像データにおける前記外縁ピクセルの彩度が大きいほど、より大きい、表示プログラムである。
【００２５】
この適用例によれば、表示画像データに含まれる図形の外縁ピクセルの輝度と、外縁ピクセルと隣り合うピクセルであって図形の外のピクセルである外隣ピクセルの輝度との差を、表示を行うための元のデータである表示画像データよりも所与の値だけ大きくした第１画像データを面積階調化した第２画像データに基づいて電子ペーパーに画像を表示させるので、例えば中間調で表現された図形の輪郭が強調された画像を表示できる。また、本適用例によれば、表示画像データにおける外縁ピクセルと、外隣ピクセルとの色差、又は、表示画像データにおける外縁ピクセルの彩度が大きくなるほど、所与の値を大きくするので、見る者にとってより実感に近い状態に図形の輪郭が強調された画像を表示できる。したがって、例えば中間調で表現された文字などが視認しやすいプログラムを実現できる。
【００２６】
［適用例４］
上記適用例にかかる表示プログラムにおいて、前記第１画像データ生成部は、前記第１画像データ生成処理を、前記表示画像データにおける前記外縁ピクセルと前記外隣ピクセルとの輝度の差が、基準値よりも小さい場合に行うことが好ましい。
【００２７】
表示画像データにおける外縁ピクセルと、外隣ピクセルとの輝度の差が小さい場合には、当該輝度の差に基づいて図形の輪郭を明瞭に明示させることが困難である。本適用例によれば、このような場合においても、第１画像データ生成処理を行うことによって、見る者にとってより実感に近い状態に図形の輪郭が強調された画像を表示できるプログラムを実現できる。
【００２８】
［適用例５］
本適用例にかかる表示方法は、表示画像データの表示を行うための表示方法であって、第１画像データを生成する第１画像データ生成処理を行う第１画像データ生成工程と、前記第１画像データを面積階調化した第２画像データを生成する第２画像データ生成工程と、前記第２画像データに基づいて電子ペーパーに画像を表示させる処理を行う表示処理工程と、を含み、外縁ピクセルを、前記表示画像データに含まれる図形の外縁におけるピクセルとし、外隣ピクセルを、前記図形の外の前記外縁ピクセルに隣り合うピクセルとしたときに、前記第１画像データは、前記外縁ピクセルと前記外隣ピクセルとの輝度の差が、前記表示画像データにおける前記外縁ピクセルと前記外隣ピクセルとの輝度の差よりも所与の値だけ大きくされたデータであり、前記所与の値は、前記表示画像データにおける前記外縁ピクセルと前記外隣ピクセルとの色差が大きいほど、又は、前記表示画像データにおける前記外縁ピクセルの彩度が大きいほど、より大きい、表示方法である。
【００２９】
この適用例によれば、表示画像データに含まれる図形の外縁ピクセルの輝度と、外縁ピクセルと隣り合うピクセルであって図形の外のピクセルである外隣ピクセルの輝度との差
を、表示を行うための元のデータである表示画像データよりも所与の値だけ大きくした第１画像データを面積階調化した第２画像データに基づいて電子ペーパーに画像を表示させるので、例えば中間調で表現された図形の輪郭が強調された画像を表示できる。また、本適用例によれば、表示画像データにおける外縁ピクセルと、外隣ピクセルとの色差、又は、表示画像データにおける外縁ピクセルの彩度が大きくなるほど、所与の値を大きくするので、見る者にとってより実感に近い状態に図形の輪郭が強調された画像を表示できる。したがって、例えば中間調で表現された文字などが視認しやすい表示方法を実現できる。
【００３０】
［適用例６］
上記適用例にかかる表示方法において、前記第１画像データ生成工程では、前記表示画像データにおける前記外縁ピクセルと前記外隣ピクセルとの輝度の差が、基準値よりも小さい場合に、前記第１画像データ生成処理を行うことが好ましい。
【００３１】
表示画像データにおける外縁ピクセルと、外隣ピクセルとの輝度の差が小さい場合には、当該輝度の差に基づいて図形の輪郭を明瞭に明示させることが困難である。本適用例によれば、このような場合においても、第１画像データ生成処理を行うことによって、見る者にとってより実感に近い状態に図形の輪郭が強調された画像を表示できる表示方法を実現できる。
【図面の簡単な説明】
【００３２】
【図１】本実施形態にかかる表示システム１の機能ブロック図である。
【図２】本実施形態にかかる表示システム１の構成例を示す図である。
【図３】本実施形態にかかる表示方法を説明するためのフローチャートである。
【図４】図４（Ａ）及び図４（Ｂ）は、表示画像データＣ１に含まれる図形と、外縁ピクセル、内部ピクセル、外隣ピクセルとの位置関係を説明するための図である。
【図５】ピクセルの配置を説明するための図である。
【図６】表示画像データＣ１の一例である第１カラー画像を示す図である。
【図７】表示画像データＣ１の一例である第２カラー画像を示す図である。
【図８】図８（Ａ）は、第１カラー画像を基にした第１画像データＤ１に基づいて面積階調化したイメージを示す図であり、図８（Ｂ）は、第１カラー画像である表示画像データＣ１に基づいて面積階調化したイメージを示す図である。
【図９】図９（Ａ）は、第２カラー画像を基にした第１画像データＤ１に基づいて面積階調化したイメージを示す図であり、図９（Ｂ）は、第２カラー画像である表示画像データＣ１に基づいて面積階調化したイメージを示す図である。
【図１０】図１０（Ａ）及び図１０（Ｂ）は、ｓ０とｓ０'との対応関係を示すグラフである。
【発明を実施するための形態】
【００３３】
以下、本発明の好適な実施形態について図面を用いて詳細に説明する。なお、以下に説明する実施形態は、特許請求の範囲に記載された本発明の内容を不当に限定するものではない。また以下で説明される構成の全てが本発明の必須構成要件であるとは限らない。図面は説明のための便宜上のものである。
【００３４】
以下では、次のような順序にしたがって本発明の実施形態を説明する。
【００３５】
１．表示システム、表示プログラム及び表示方法の全体構成
１−１．第１実施形態
１−２．第２実施形態
１−３．第３実施形態
２．第１画像データ生成部における処理の具体例
２−１．第１具体例
２−２．第２具体例
２−３．第３具体例
２−４．第４具体例
２−５．第５具体例
２−６．第６具体例
２−７．変形例
【００３６】
１．表示システム、プログラム及び表示方法の全体構成
図１は、本実施形態にかかる表示システム１の機能ブロック図である。以下、全体構成としての説明を、第１実施形態に表示システムについて、第２実施形態に表示プログラムについて、第３実施形態に表示方法について行う。なお、いずれの実施形態においても同一の機能若しくは構成については同様の名称と付番とを用い、既に説明のなされた機能若しくは構成についての説明を省略する場合がある。
【００３７】
１−１．第１実施形態
本実施形態にかかる表示システム１は、表示画像データＣ１の表示を行うための表示システムであって、第１画像データ生成部１０と、第２画像データ生成部２０と、表示処理部３０と、を有する。
【００３８】
第１画像データ生成部１０は、第１画像データＤ１を生成する第１画像データ生成処理を行う。第１画像データＤ１は、外縁ピクセルを、表示画像データＣ１に含まれる図形の外縁におけるピクセルとし、外隣ピクセルを、図形の外の外縁ピクセルに隣り合うピクセルとしたときに、外縁ピクセルと外隣ピクセルとの輝度の差が、表示画像データＣ１における外縁ピクセルと外隣ピクセルとの輝度の差よりも所与の値Ｅ１だけ大きくされたデータである。
【００３９】
また、所与の値Ｅ１は、表示画像データＣ１における外縁ピクセルと外隣ピクセルとの色差が大きいほど、又は、表示画像データＣ１における外縁ピクセルの彩度が大きいほど、より大きい。
【００４０】
また、第１画像データ生成部１０は、表示画像データＣ１における外縁ピクセルと、外隣ピクセルとの輝度の差が基準値よりも小さい場合に、第１画像データ生成処理を行ってもよい。
【００４１】
なお、第１画像データ生成部１０が行う処理の詳細については、「２．第１画像データ生成部における処理の具体例」の項で後述される。
【００４２】
第２画像データ生成部２０は、第１画像データ生成部１０で生成された第１画像データＤ１を面積階調化した第２画像データＤ２を生成する。第２画像データ生成部２０は、例えば、ディザー法や濃度パターン法など、種々の公知の方法を用いて第１画像データＤ１を面積階調化して第２画像データＤ２を生成してもよい。
【００４３】
表示処理部３０は、第２画像データ生成部２０で生成された第２画像データＤ２に基づいて電子ペーパー４０に画像を表示させる処理を行う。図１に示される例では、表示処理部３０は、制御信号Ｓ１を電子ペーパー４０に出力することによって、電子ペーパー４０に画像を表示させる処理を行う。
【００４４】
電子ペーパー４０は、電気泳動法式、マイクロカプセル方式、電子粉流体方式、液晶方式、エレクトロウェッティング方式、化学変化方式など、種々の公知の電子ペーパーであ
ってもよい。
【００４５】
図２は、本実施形態にかかる表示システム１の構成例を示す図である。図２に示される表示システム１は、パーソナルコンピューター１００と、表示装置２００を含んで構成されている。
【００４６】
パーソナルコンピューター１００は、処理部１１０、記憶部１２０及び通信部１３０を含んで構成されている。表示装置２００は、処理部２１０、記憶部２２０、通信部２３０及び電子ペーパー４０を含んで構成されている。
【００４７】
図２に示される例では、第１画像データ生成部１０及び第２画像データ生成部２０は、処理部１１０の一部として構成されている。処理部１１０は、例えば、ＣＰＵ（Central Processing Unit）で構成されていてもよい。
【００４８】
記憶部１２０は、処理部１１０が行う処理の一時的なワーキングメモリーとして機能してもよいし、表示画像データＣ１を記憶する記憶手段として機能してもよい。なお、表示画像データＣ１は、パーソナルコンピューター１００の外部から入力されてもよい。
【００４９】
通信部１３０は、通信回線を介してパーソナルコンピューター１００の外部と通信するためのインターフェースを提供する機能を有している。
【００５０】
図２に示される例では、表示処理部３０は、処理部２１０の一部として構成されている。処理部２１０は、例えば、ＣＰＵで構成されていてもよい。処理部２１０は、制御信号Ｓ１を出力することによって、電子ペーパー４０を制御する。
【００５１】
記憶部２２０は、処理部２１０が行う処理の一時的なワーキングメモリーとして機能してもよい。
【００５２】
通信部２３０は、通信回線を介して表示装置２００の外部と通信するためのインターフェースを提供する機能を有している。
【００５３】
図２に示される例では、パーソナルコンピューター１００の通信部１３０と表示装置２００の通信部２３０とが所定の通信手段によって接続されている。ここで、所定の通信手段は、必要なデータ転送速度が確保されるものであれば特に限定をする必要は無い。例えば、通信手段はＵＳＢ（Universal Serial Bus）でもよい。
【００５４】
図２に示される例においては、第１画像データ生成部１０及び第２画像データ生成部２０は、パーソナルコンピューター１００の一部として構成されている。また、本実施形態においては、表示処理部３０は、電子ペーパー４０を含む表示装置２００の一部として構成されている。しかしながら、本発明はこれに限らず、例えば、第１画像データ生成部１０、第２画像データ生成部２０及び表示処理部３０の全てが表示装置２００の一部として構成されていてもよい。
【００５５】
なお、第１画像データ生成部１０、第２画像データ生成部２０及び表示処理部３０は、専用の電子回路を用いて実現されてもよく、ＣＰＵで実行可能なプログラムを用いて実現されてもよい。
【００５６】
本実施形態にかかる表示システム１によれば、表示画像データに含まれる図形の外縁ピクセルの輝度と、外縁ピクセルと隣り合うピクセルであって図形の外のピクセルである外隣ピクセルの輝度との差を、表示を行うための元のデータである表示画像データＣ１より
も所与の値Ｅ１だけ大きくした第１画像データＤ１を面積階調化した第２画像データＤ２に基づいて電子ペーパー４０に画像を表示させるので、例えば中間調で表現された図形の輪郭が強調された画像を表示できる。また、本実施形態にかかる表示システム１によれば、表示画像データにおける外縁ピクセルと、外隣ピクセルとの色差、又は、表示画像データにおける外縁ピクセルの彩度が大きくなるほど、所与の値を大きくするので、見る者にとってより実感に近い状態に図形の輪郭が強調された画像を表示できる。したがって、例えば中間調で表現された文字などが視認しやすい表示システムを実現できる。
【００５７】
表示画像データＣ１における外縁ピクセルと、外隣ピクセルとの輝度の差が小さい場合には、当該輝度の差に基づいて図形の輪郭を明瞭に明示させることが困難である。本実施形態にかかる表示システム１によれば、このような場合においても、第１画像データ生成処理を行うことによって、見る者にとってより実感に近い状態に図形の輪郭が強調された画像を表示できる表示システム１を実現できる。
【００５８】
１−２．第２実施形態
第１画像データ生成部１０、第２画像データ生成部２０及び表示処理部３０が、例えばコンピューターで実行されるプログラムとして実現されていてもよい。すなわち、本実施形態にかかる表示プログラムは、表示画像データＣ１の表示を行うための表示プログラムであって、第１画像データＤ１を生成する第１画像データ生成処理を行う第１画像データ生成部１０と、第１画像データＤ１を面積階調化した第２画像データＤ２を生成する第２画像データ生成部２０と、第２画像データＤ２に基づいて電子ペーパー４０に画像を表示させる処理を行う表示処理部３０と、してコンピューターを機能させる表示プログラムである。第１実施形態と同様に、外縁ピクセルを、表示画像データに含まれる図形の外縁におけるピクセルとし、外隣ピクセルを、図形の外の前記外縁ピクセルに隣り合うピクセルとしたときに、第１画像データＤ１は、外縁ピクセルと外隣ピクセルとの輝度の差が、表示画像データＣ１における外縁ピクセルと外隣ピクセルとの輝度の差よりも所与の値Ｅ１だけ大きくされたデータであり、所与の値Ｅ１は、表示画像データＣ１における外縁ピクセルと外隣ピクセルとの色差が大きいほど、又は、表示画像データＣ１における外縁ピクセルの彩度が大きいほど、より大きい。
【００５９】
この場合においても、第１画像データ生成部１０は、表示画像データＣ１における外縁ピクセルと外隣ピクセルとの輝度の差が基準値よりも小さい場合に、第１画像データ生成処理を行ってもよい。
【００６０】
本実施形態にかかる表示プログラムによれば、表示画像データに含まれる図形の外縁ピクセルの輝度と、外縁ピクセルと隣り合うピクセルであって図形の外のピクセルである外隣ピクセルの輝度との差を、表示を行うための元のデータである表示画像データＣ１よりも所与の値Ｅ１だけ大きくした第１画像データＤ１を面積階調化した第２画像データＤ２に基づいて電子ペーパー４０に画像を表示させるので、例えば中間調で表現された図形の輪郭が強調された画像を表示できる。また、本実施形態にかかる表示プログラムによれば、表示画像データにおける外縁ピクセルと、外隣ピクセルとの色差、又は、表示画像データにおける外縁ピクセルの彩度が大きくなるほど、所与の値を大きくするので、見る者にとってより実感に近い状態に図形の輪郭が強調された画像を表示できる。したがって、例えば中間調で表現された文字などが視認しやすい表示プログラムを実現できる。
【００６１】
表示画像データＣ１における外縁ピクセルと、外隣ピクセルとの輝度の差が小さい場合には、当該輝度の差に基づいて図形の輪郭を明瞭に明示させることが困難である。本実施形態にかかる表示システム１によれば、このような場合においても、第１画像データ生成処理を行うことによって、見る者にとってより実感に近い状態に図形の輪郭が強調された画像を表示できる機能をプログラムとして実現できる。
【００６２】
１−３．第３実施形態
図３は、本実施形態にかかる表示方法を説明するためのフローチャートである。以下では、本実施形態にかかる表示方法を、図１に示される表示システム１を用いて実現する例について説明する。
【００６３】
本実施形態にかかる表示方法は、表示画像データＣ１の表示を行うための表示方法であって、第１画像データＤ１を生成する第１画像データ生成処理を行う第１画像データ生成工程（ステップＳ１００）と、第１画像データＤ１を面積階調化した第２画像データＤ２を生成する第２画像データ生成工程（ステップＳ１０２）と、第２画像データＤ２に基づいて電子ペーパー４０に画像を表示させる処理を行う表示処理工程（ステップＳ１０４）と、を有する。
【００６４】
図３において、まず、第１画像データＤ１を生成する第１画像データ生成工程を行う（ステップＳ１００）。本実施形態においては、第１画像データ生成部１０が第１画像データ生成工程を行う。第１画像データＤ１は、外縁ピクセルを、表示画像データＣ１に含まれる図形の外縁におけるピクセルとし、外隣ピクセルを、図形の外の前記外縁ピクセルに隣り合うピクセルとしたときに、外縁ピクセルと外隣ピクセルとの輝度の差が、表示画像データＣ１における外縁ピクセルと外隣ピクセルとの輝度の差よりも所与の値Ｅ１だけ大きくされたデータであり、所与の値Ｅ１は、表示画像データＣ１における外縁ピクセルと外隣ピクセルとの色差が大きいほど、又は、表示画像データにおける外縁ピクセルの彩度が大きいほど、より大きい。
【００６５】
第１画像データ生成工程では、外縁ピクセルと、外隣ピクセルとの輝度の差が基準値よりも小さい場合に、第１画像データ生成処理を行ってもよい。
【００６６】
ステップＳ１００の後に、第１画像データＤ１を面積階調化した第２画像データＤ２を生成する第２画像データ生成工程を行う（ステップＳ１０２）。本実施形態においては、第２画像データ生成部２０が第２画像データ生成工程を行う。
【００６７】
ステップＳ１０２の後に、第２画像データＤ２に基づいて電子ペーパー４０に画像を表示させる処理を行う表示処理工程を行う（ステップＳ１０４）。本実施形態においては、表示処理部３０が表示処理工程を行う。
【００６８】
本実施形態にかかる表示方法によれば、表示画像データＣ１に含まれる図形の外縁ピクセルの輝度と、外縁ピクセルと隣り合うピクセルであって図形の外のピクセルである外隣ピクセルの輝度との差を、表示を行うための元のデータである表示画像データＣ１よりも所与の値Ｅ１だけ大きくした第１画像データＤ１を面積階調化した第２画像データＤ２に基づいて電子ペーパーに画像を表示させるので、例えば中間調で表現された図形の輪郭が強調された画像を表示できる。また、本実施形態にかかる表示方法によれば、表示画像データＣ１における外縁ピクセルと、外隣ピクセルとの色差、又は、表示画像データにおける外縁ピクセルの彩度が大きくなるほど、所与の値Ｅ１を大きくするので、見る者にとってより実感に近い状態に図形の輪郭が強調された画像を表示できる。したがって、例えば中間調で表現された文字などが視認しやすい表示方法を実現できる。
【００６９】
表示画像データＣ１における外縁ピクセルと、外隣ピクセルとの輝度の差が小さい場合には、当該輝度の差に基づいて図形の輪郭を明瞭に明示させることが困難である。本実施形態にかかる表示方法によれば、このような場合においても、第１画像データ生成処理を行うことによって、見る者にとってより実感に近い状態に図形の輪郭が強調された画像を表示できる表示方法を実現できる。
【００７０】
２．第１画像データ生成部における処理の具体例
次に、第１画像データ生成部１０における処理の具体例について説明する。図４（Ａ）及び図４（Ｂ）は、表示画像データＣ１に含まれる図形と、外縁ピクセル、内部ピクセル、外隣ピクセルとの位置関係を説明するための図である。
【００７１】
図４（Ａ）には、図形が外縁ピクセルと内部ピクセルとから構成される例が示されている。図４（Ｂ）には、図形が外縁ピクセルのみから構成される例が示されている。ピクセルは、表示画像データＣ１における１ピクセルの画素に相当する。
【００７２】
図４（Ａ）及び図４（Ｂ）において、図形は、太実線の内側の領域である。図４（Ａ）及び図４（Ｂ）において、外縁ピクセルは、網掛けされたピクセルである。図４（Ａ）及び図４（Ｂ）において、内部ピクセルは、右上から左下へ斜線が付されたピクセルである。図４（Ａ）及び図４（Ｂ）において、外隣ピクセルは、左上から右下へ斜線が付されたピクセルである。
【００７３】
図４（Ａ）及び図４（Ｂ）に示されるように、外縁ピクセルは、図形内のピクセルであって、図形の外縁に接するピクセルである。また、内部ピクセルは、図形内のピクセルであって、図形の外縁に接していないピクセルである。また、外隣ピクセルは、図形外のピクセルであって外縁ピクセルと隣り合うピクセルある。
【００７４】
図５は、ピクセルの配置を説明するための図である。図５において、第１画像データ生成部１０における処理での処理対象となる第０ピクセルが「０」と示されている。同様に、第０ピクセルの左隣りのピクセルである第１ピクセルが「１」、第０ピクセルの右隣りのピクセルである第２ピクセルが「２」、第０ピクセルの左上隣のピクセルである第３ピクセルが「３」、第０ピクセルの上隣のピクセルである第４ピクセルが「４」、第０ピクセルの右上隣のピクセルである第５ピクセルが「５」、第０ピクセルの左下隣のピクセルである第６ピクセルが「６」、第０ピクセルの下隣のピクセルである第７ピクセルが「７」、第０ピクセルの右下隣のピクセルである第８ピクセルが「８」と示されている。
【００７５】
以下の具体例の説明においては、第０ピクセルの輝度をｙ０、第１ピクセルの輝度をｙ１、第２ピクセルの輝度をｙ２、第３ピクセルの輝度をｙ３、第４ピクセルの輝度をｙ４、第５ピクセルの輝度をｙ５、第６ピクセルの輝度をｙ６、第７ピクセルの輝度をｙ７、第８ピクセルの輝度をｙ８とする。以下の具体例においては、輝度は０から２５５までの範囲の値である。
【００７６】
以下の具体例の説明においては、外縁ピクセルを第０ピクセルとした場合に、外縁ピクセルと隣り合うピクセルとの輝度の差（輝度差）Ｙｓａを以下の式（１）で定義する。
【００７７】
Ｙｓａ＝｛４×ｙ０−（ｙ４＋ｙ１＋ｙ２＋ｙ７）｝×０．５  …（１）
【００７８】
以下の具体例においては、輝度差Ｙｓａの絶対値が５０よりも小さい場合、すなわち、−５０＜輝度差Ｙｓａ＜５０である場合に、第１画像データ生成部１０が、第１画像データ生成処理を行うものとする。すなわち、基準値は５０である。
【００７９】
図６は、表示画像データＣ１の一例である第１カラー画像を示す図である。図７は、表示画像データＣ１の一例である第２カラー画像を示す図である。図６及び図７に示される格子状の枠内が各ピクセルに相当する。
【００８０】
図６に示される複数のピクセルａは外縁ピクセルに相当し、複数のピクセルｂは外隣ピ
クセルに相当するものとする。ピクセルａは、各８ビット表示のＲＧＢ表色系で（Ｒ，Ｇ，Ｂ）＝（２５５，６０，２５５）で表される色である。ピクセルａの８ビット表示の輝度は１４１である。ピクセルｂは、各８ビット表示のＲＧＢ表色系で（Ｒ，Ｇ，Ｂ）＝（１８，２２７，２２７）で表される色である。ピクセルｂの８ビット表示の輝度は１６４である。したがって、外縁ピクセルの輝度と外隣ピクセルの輝度との差は、２３である。なお、無地のピクセルは、各８ビット表示のＲＧＢ表色系で（Ｒ，Ｇ，Ｂ）＝（１８，２２７，２２７）で表される色（ピクセルｂと同じ色）である。
【００８１】
図７に示される複数のピクセルｃは外縁ピクセルに相当し、複数のピクセルｄは外隣ピクセルに相当するものとする。ピクセルｃは、各８ビット表示のＲＧＢ表色系で（Ｒ，Ｇ，Ｂ）＝（２５５，１６２，２５５）で表される色である。ピクセルｃの８ビット表示の輝度は２０１である。ピクセルｄは、各８ビット表示のＲＧＢ表色系で（Ｒ，Ｇ，Ｂ）＝（１９０，２４０，２４０）で表される色である。ピクセルｂの８ビット表示の輝度は２２５である。したがって、外縁ピクセルの輝度と外隣ピクセルの輝度との差は、２４である。なお、無地のピクセルは、各８ビット表示のＲＧＢ表色系で（Ｒ，Ｇ，Ｂ）＝（（１９０，２４０，２４０）で表される色（ピクセルｄと同じ色）である。
【００８２】
図６に示されるピクセルＡを第０ピクセルとした場合の輝度差Ｙｓａは１２である。図７に示されるピクセルＣを第０ピクセルとした場合の輝度差Ｙｓａは１２である。したがって、いずれの場合も輝度差Ｙｓａは基準値以下であり、以下の具体例においては、第１カラー画像に対しても第２カラー画像に対しても、第１画像データ生成部１０は第１画像データ生成処理を行う。
【００８３】
ここで、第１画像データ生成部１０における第１画像データ生成処理の後の第０ピクセルの輝度ｙｎｅｗを以下の式（２）とする。
【００８４】
ｙｎｅｗ＝ｙ０＋Δｙ  …（２）
【００８５】
２−１．第１具体例
第１具体例では、ＨＳＶ系で第１画像データ生成処理を行う場合の一例について説明する。以下では、Ｈ（色相）は０から３５９までの値をとるものとし、Ｓ（彩度）は０から２５５までの値をとるものとする。
【００８６】
以下の説明においては、第０ピクセルのＨ（色相）をｈ０、第１ピクセルのＨ（色相）をｈ１、第２ピクセルのＨ（色相）をｈ２、第３ピクセルのＨ（色相）をｈ３、第４ピクセルのＨ（色相）をｈ４、第５ピクセルのＨ（色相）をｈ５、第６ピクセルのＨ（色相）をｈ６、第７ピクセルのＨ（色相）をｈ７、第８ピクセルのＨ（色相）をｈ８とする。同様に、第０ピクセルのＳ（彩度）をｓ０、第１ピクセルのＳ（彩度）をｓ１、第２ピクセルのＳ（彩度）をｓ２、第３ピクセルのＳ（彩度）をｓ３、第４ピクセルのＳ（彩度）をｓ４、第５ピクセルのＳ（彩度）をｓ５、第６ピクセルのＳ（彩度）をｓ６、第７ピクセルのＳ（彩度）をｓ７、第８ピクセルのＳ（彩度）をｓ８とする。
【００８７】
第１具体例における色差は、以下の式（３）で定義される。
【００８８】
Ｓａ'＝Ｓｓａ／２＋Ｈｓａ／４  …（３）
【００８９】
式（３）において、Ｓｓａは以下の式（４）で定義される。
【００９０】
Ｓｓａ＝｜｛４×ｓ０−（ｓ４＋ｓ１＋ｓ２＋ｓ７）｝｜  …（４）
【００９１】
式（３）において、Ｈｓａは以下の式（５）で定義される。
【００９２】
Ｈｓａ＝Ｈｓ１＋Ｈｓ２＋Ｈｓ３＋Ｈｓ４  …（５）
【００９３】
式（５）において、Ｈｓ１、Ｈｓ２、Ｈｓ３、Ｈｓ４は、それぞれ以下の式（６）、式（７）、式（８）、式（９）で定義される。
【００９４】
Ｈｓ１＝｜ｈ０−ｈ１｜  …（６）
Ｈｓ２＝｜ｈ０−ｈ２｜  …（７）
Ｈｓ３＝｜ｈ０−ｈ４｜  …（８）
Ｈｓ４＝｜ｈ０−ｈ７｜  …（９）
【００９５】
上述の式（６）〜式（９）において、「｜｜」は絶対値を表す（以下同様）。また、上述の式（６）〜式（９）において、Ｈｓ１、Ｈｓ２、Ｈｓ３、Ｈｓ４は、１８０以下となるように計算される。より具体的には、１８０を超えた場合には、１８０を差し引くことによって、１８０以下となるように計算される。
【００９６】
この場合に、Δｙを以下の式（１０）又は式（１１）で求める。
【００９７】
Δｙ＝Ｙｓａ＋Ｓａ  （Ｙｓａ≧０の場合）  …（１０）
Δｙ＝Ｙｓａ−Ｓａ  （Ｙｓａ＜０の場合）  …（１１）
【００９８】
上述の式（１０）及び式（１１）において、Ｓａは以下の式（１２）で求める。
【００９９】
Ｓａ＝Ｓａ'×ｓ０／１２８  …（１２）
【０１００】
なお、Δｙの最大値及び最小値を制限しておいてもよい。本具体例においては、Δｙは−８０から５０までの値をとるものとする。
【０１０１】
図６に示される第１カラー画像のピクセルａは、ＨＳＶ系では、Ｈ＝３００、Ｓ＝１９５である。図６に示される第１カラー画像のピクセルｂは、ＨＳＶ系では、Ｈ＝１８０、Ｓ＝２３４である。
【０１０２】
この場合に、ピクセルＡを第０ピクセルとした場合には、Δｙ＝−８７となるので、最小値のΔｙ＝−８０なり、これを式（２）に代入すると、ｙｎｅｗ＝６１となる。
【０１０３】
同様に、ピクセルＢを第０ピクセルとした場合には、Δｙ＝１０３となるので、最大値のΔｙ＝５０なり、式（２）に代入すると、ｙｎｅｗ＝２１４となる。
【０１０４】
したがって、第１画像データ生成処理を行った後における、外縁ピクセルの輝度と外隣ピクセルの輝度との差は、１５３である。すなわち、所与の値Ｅ１＝１３０だけ大きくなっている。
【０１０５】
図７に示される第２カラー画像のピクセルｃは、ＨＳＶ系では、Ｈ＝３００、Ｓ＝９３である。図７に示される第２カラー画像のピクセルｂは、ＨＳＶ系では、Ｈ＝１８０、Ｓ＝５３である。
【０１０６】
この場合に、ピクセルＣを第０ピクセルとした場合には、Δｙ＝−４８となり、これを式（２）に代入すると、ｙｎｅｗ＝１５３となる。
【０１０７】
同様に、ピクセルＢを第０ピクセルとした場合には、Δｙ＝３３となり、式（２）に代入すると、ｙｎｅｗ＝２５８となるので、最大値のｙｎｅｗ＝２５５となる。
【０１０８】
したがって、第１画像データ生成処理を行った後における、外縁ピクセルの輝度と外隣ピクセルの輝度との差は、１０２である。すなわち、所与の値Ｅ１＝７８だけ大きくなっている。
【０１０９】
図８（Ａ）は、第１カラー画像を基にした第１画像データＤ１に基づいて面積階調化したイメージを示す図であり、図８（Ｂ）は、第１カラー画像である表示画像データＣ１に基づいて面積階調化したイメージを示す図である。図８（Ａ）に示される図と図８（Ｂ）に示される図とを比較すると、図８（Ａ）に示される図の方が図形の輪郭が強調され、図形が視認しやすいことが分かる。
【０１１０】
図９（Ａ）は、第２カラー画像を基にした第１画像データＤ１に基づいて面積階調化したイメージを示す図であり、図９（Ｂ）は、第２カラー画像である表示画像データＣ１に基づいて面積階調化したイメージを示す図である。図９（Ａ）に示される図と図９（Ｂ）に示される図とを比較すると、図９（Ａ）に示される図の方が図形の輪郭が強調され、図形が視認しやすいことが分かる。
【０１１１】
図８（Ａ）と図９（Ａ）とを比較すると、図８（Ａ）に示される図の方が図形の輪郭がより強調されていることが分かる。したがって、見る者にとってより実感に近い状態に図形の輪郭が強調されていることが分かる。
【０１１２】
このように、第１具体例によれば、例えば中間調で表現された図形の輪郭が強調された画像を表示できる。また、見る者にとってより実感に近い状態に図形の輪郭が強調された画像を表示できる。したがって、例えば中間調で表現された文字などが視認しやすい表示システム１、プログラム及び表示方法を実現できる。
【０１１３】
２−２．第２具体例
第１具体例において、式（１２）に代えて、Ｓａを以下の式（１３）で求めてもよい。
【０１１４】
Ｓａ＝Ｓａ'／４＋ｓ０／１６  …（１３）
【０１１５】
第２具体例においても、第１具体例と同様の効果を奏する。
【０１１６】
２−３．第３具体例
第３具体例では、ＹＵＶ系で第１画像データ生成処理を行う場合の一例について説明する。以下では、Ｙ（輝度）は０から２５５までの値をとるものとし、Ｕ（ｕ色差）及びＶ（ｖ色差）は−１２８から１２７までの値をとるものとする。
【０１１７】
以下の説明においては、第０ピクセルのＵ（ｕ色差）をｕ０、第１ピクセルのＵ（ｕ色差）をｕ１、第２ピクセルのＵ（ｕ色差）をｕ２、第３ピクセルのＵ（ｕ色差）をｕ３、第４ピクセルのＵ（ｕ色差）をｕ４、第５ピクセルのＵ（ｕ色差）をｕ５、第６ピクセルのＵ（ｕ色差）をｕ６、第７ピクセルのＵ（ｕ色差）をｕ７、第８ピクセルのＵ（ｕ色差）をｕ８とする。同様に、第０ピクセルのＶ（ｖ色差）をｖ０、第１ピクセルのＶ（ｖ色差）をｖ１、第２ピクセルのＶ（ｖ色差）をｖ２、第３ピクセルのＶ（ｖ色差）をｖ３、第４ピクセルのＶ（ｖ色差）をｖ４、第５ピクセルのＶ（ｖ色差）をｖ５、第６ピクセルのＶ（ｖ色差）をｖ６、第７ピクセルのＶ（ｖ色差）をｖ７、第８ピクセルのＶ（ｖ色差）をｖ８とする。
【０１１８】
第３具体例における色差は、以下の式（１４）で定義される。
【０１１９】
Ｓａ'＝Ｕｓａ＋Ｖｓａ  …（１４）
【０１２０】
式（１４）において、Ｕｓａは以下の式（１５）で定義される。
【０１２１】
Ｕｓａ＝｜｛４×ｕ０−（ｕ４＋ｕ１＋ｕ２＋ｕ７）｝｜  …（１５）
【０１２２】
式（１４）において、Ｖｓａは以下の式（１６）で定義される。
【０１２３】
Ｖｓａ＝｜｛４×ｖ０−（ｖ４＋ｖ１＋ｖ２＋ｖ７）｝｜  …（１６）
【０１２４】
この場合に、Δｙを上述の式（１０）又は式（１１）で求める。上述の式（１０）及び式（１１）において、Ｓａは以下の式（１７）で求める。
【０１２５】
Ｓａ＝Ｓａ'×（｜ｕ０｜＋｜ｖ０｜）／５１２  …（１７）
【０１２６】
なお、第１具体例と同様に、Δｙの最大値及び最小値を制限しておいてもよい。
【０１２７】
ＹＵＶ系で第１画像データ生成処理を行う第３具体例においても、ＨＳＶ系で第１画像データ生成処理を行う第１具体例と同様の効果を奏する。
【０１２８】
２−４．第４具体例
第３具体例において、式（１７）に代えて、Ｓａを以下の式（１８）で求めてもよい。
【０１２９】
Ｓａ＝Ｓａ'／１６＋（｜ｕ０｜＋｜ｖ０｜）／３２  …（１８）
【０１３０】
第４具体例においても、第３具体例と同様の効果を奏する。
【０１３１】
２−５．第５具体例
第５具体例では、ＲＧＢ系で第１画像データ生成処理を行う場合の一例について説明する。以下では、Ｒ（赤）、Ｇ（緑）及びＢ（青）は０から２５５までの値をとるものとする。
【０１３２】
以下の説明においては、第０ピクセルのＲ（赤）をｒ０、第１ピクセルのＲ（赤）をｒ１、第２ピクセルのＲ（赤）をｒ２、第３ピクセルのＲ（赤）をｒ３、第４ピクセルのＲ（赤）をｒ４、第５ピクセルのＲ（赤）をｒ５、第６ピクセルのＲ（赤）をｒ６、第７ピクセルのＲ（赤）をｒ７、第８ピクセルのＲ（赤）をｒ８とする。同様に、第０ピクセルのＧ（緑）をｇ０、第１ピクセルのＧ（緑）をｇ１、第２ピクセルのＧ（緑）をｇ２、第３ピクセルのＧ（緑）をｇ３、第４ピクセルのＧ（緑）をｇ４、第５ピクセルのＧ（緑）をｇ５、第６ピクセルのＧ（緑）をｇ６、第７ピクセルのＧ（緑）をｇ７、第８ピクセルのＧ（緑）をｇ８とする。またに、第０ピクセルのＢ（青）をｂ０、第１ピクセルのＢ（青）をｂ１、第２ピクセルのＢ（青）をｂ２、第３ピクセルのＢ（青）をｂ３、第４ピクセルのＢ（青）をｂ４、第５ピクセルのＢ（青）をｂ５、第６ピクセルのＢ（青）をｂ６、第７ピクセルのＢ（青）をｂ７、第８ピクセルのＢ（青）をｂ８とする。
【０１３３】
第５具体例における色差は、以下の式（１９）で定義される。
【０１３４】
Ｓａ'＝Ｒｓａ＋Ｇｓａ＋Ｂｓａ  …（１９）
【０１３５】
式（１９）において、Ｒｓａは以下の式（２０）で定義される。
【０１３６】
Ｒｓａ＝｜｛４×ｒ０−（ｒ４＋ｒ１＋ｒ２＋ｒ７）｝｜  …（２０）
【０１３７】
式（１９）において、Ｇｓａは以下の式（２１）で定義される。
【０１３８】
Ｇｓａ＝｜｛４×ｇ０−（ｇ４＋ｇ１＋ｇ２＋ｇ７）｝｜  …（２１）
【０１３９】
式（１９）において、Ｂｓａは以下の式（２２）で定義される。
【０１４０】
Ｂｓａ＝｜｛４×ｂ０−（ｂ４＋ｂ１＋ｂ２＋ｂ７）｝｜  …（２２）
【０１４１】
この場合に、Δｙを上述の式（１０）又は式（１１）で求める。上述の式（１０）及び式（１１）において、Ｓａは以下の式（２３）で求める。
【０１４２】
Ｓａ＝Ｓａ'×ｒｇｂ／５１２  …（２３）
【０１４３】
式（２３）において、ｒｇｂは以下の式（２４）で定義される。
【０１４４】
ｒｇｂ＝｜ｒ０−ｇ０｜＋｜ｂ０−ｇ０｜＋｜ｒ０−ｂ０｜  …（２４）
【０１４５】
なお、第１具体例と同様に、Δｙの最大値及び最小値を制限しておいてもよい。
【０１４６】
ＲＧＢ系で第１画像データ生成処理を行う第５具体例においても、ＨＳＶ系で第１画像データ生成処理を行う第１具体例と同様の効果を奏する。
【０１４７】
２−６．第６具体例
第５具体例において、式（２３）に代えて、Ｓａを以下の式（２５）で求めてもよい。
【０１４８】
Ｓａ＝Ｓａ'／１６＋ｒｇｂ／３２  …（２５）
【０１４９】
第６具体例においても、第５具体例と同様の効果を奏する。
【０１５０】
２−７．変形例
第１具体例及び第２具体例において、式（１２）及び式（１３）に代えて、それぞれ以下の式（１２'）及び式（１３'）を用いてもよい。
【０１５１】
Ｓａ＝Ｓａ'×ｓ０'／１２８  …（１２'）
Ｓａ＝Ｓａ'／４＋ｓ０'／１６  …（１３'）
【０１５２】
図１０（Ａ）及び図１０（Ｂ）は、ｓ０とｓ０'との対応関係を示すグラフである。図１０（Ａ）及び図１０（Ｂ）に示されるように、ｓ０'は、ｓ０に対して単調増加する関係であって、ｓ０とは正比例しない関係であってもよい。
【０１５３】
本発明は、上述の具体例に限らず、例えば、Ｌａ＊ｂ＊系やＬｕ＊ｖ＊で第１画像データ生成処理を行ってもよい。
【０１５４】
なお、上述した実施形態及び変形例は一例であって、これらに限定されるわけではない。例えば各実施形態及び各変形例は、複数を適宜組み合わせることが可能である。
【０１５５】
本発明は、上述した実施形態及び具体例に限定されるものではなく、さらに種々の変形が可能である。例えば、本発明は、実施形態で説明した構成と実質的に同一の構成（例えば、機能、方法及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。
【符号の説明】
【０１５６】
１…表示システム、１０…第１画像データ生成部、２０…第２画像データ生成部、３０…表示処理部、４０…電子ペーパー、１００…パーソナルコンピューター、１１０…処理部、１２０…記憶部、１３０…通信部、２００…表示装置、２１０…処理部、２２０…記憶部、２３０…通信部、Ｃ１…表示画像データ、Ｄ１…第１画像データ、Ｄ２…第２画像データ、Ｓ１…制御信号
【図１】
2013218281.tif 000003
【図２】
2013218281.tif 000004
【図３】
2013218281.tif 000005
【図１０】
2013218281.tif 000006
【図４】
2013218281.tif 000007
【図５】
2013218281.tif 000008
【図６】
2013218281.tif 000009
【図７】
2013218281.tif 000010
【図８】
2013218281.tif 000011
【図９】
2013218281.tif 000012